(57)【要約】  トレッドミルは、前部又は後部の第１プーリのセットと、ループ式ベルトとを有する。プーリは、例えば、使用者がトレッドミルの上を歩く／ジョギングする／走ると、ベルトの動きとともに回転する。プーリは、プーリとともに回転するローラチューブ上に装着される。トレッドミルの反対端には、ベルトを支持するためのプーリの第２セットがあり得る。ローラチューブは、各側のベアリングと、プーリが一方向に回転することを可能にする一方向装置、例えば、スプラグクラッチとを使用して、固定シャフト上に装着される。回転方向は、ベルトの上部の、トレッドミルの前部から後部への動きに対応する。一方向装置は、プーリが反対方向に回転することを防止し、ベルトの上部がトレッドミルの後部から前部に動くことを防止する。トレッドミルは、モータレスで、湾曲していてもよい。【選択図】図４
2021505218.tif 000002
【特許請求の範囲】
【請求項１】
フレームと、
ループ式走行ベルトと、
第１ローラアセンブリであって、第１ローラチューブと、第１回転プーリ及び第２回転プーリであって、前記第１ローラチューブ上に装着されており、それによって、前記第１及び第２回転プーリは前記第１ローラチューブとともに回転し、第１回転プーリ及び第２回転プーリと、第１シャフトであって、前記フレーム上に固定して装着されており、それによって、前記第１シャフトは前記第１及び第２回転プーリと前記第１ローラチューブとともに回転しない、第１シャフトと、第１荷重ベアリングと、第２荷重ベアリングと、一方向装置と、を備える第１ローラアセンブリと、
前記フレーム上に装着された第２ローラアセンブリと、を備えるトレッドミルであって、
前記ループ式走行ベルトが、前記第２ローラアセンブリと、前記第１回転プーリと、前記第２回転プーリとによって支持され、それによって、前記第１及び第２回転プーリが、前記ループ式走行ベルトの動きとともに回転し、
前記第１荷重ベアリング及び前記第２荷重ベアリングが、前記第１ローラチューブと前記第１シャフトとの間に配設され、それによって、前記第１ローラチューブと前記第１及び第２プーリとが、前記第１シャフトの周りを回転することができ、
前記一方向装置が、内リング及び外リングを備え、前記内リングが、前記第１シャフトに固定結合されて、前記第１シャフト上で回転しないようにされ、前記外リングが、前記ローラチューブに固定結合されて、前記ローラチューブが前記第１シャフトの周りを第１方向に回転することを可能にし、かつ前記ローラチューブが、前記第１シャフトの周りを、前記第１方向と反対の第２方向に回転することを防止し、前記第１及び第２方向が、前記ループ式走行ベルトの上面が、前記トレッドミルの前部から前記トレッドミルの後部に動くことができ、前記ループ式走行ベルトの前記上面が、前記トレッドミルの前記後部から前記トレッドミルの前記前部へ動くことが防止されるようなものである、トレッドミル。
【請求項２】
前記フレームの第１長手方向側部に沿って第１複数のガイド用プーリが点在している、第１複数の支持用／ガイド用ベアリングを備える第１列と、前記フレームの第２長手方向側部に沿って第２複数のガイド用プーリが点在している、第２複数の支持用／ガイド用ベアリングを備える第２列とをさらに含み、前記第１及び第２列が、前記ループ式走行ベルトを支持している、請求項１に記載のトレッドミル。
【請求項３】
前記ループ式走行ベルトの内側面が、前記フレームの前記第１長手方向側部に近接する、前記走行ベルトの第１側に沿った第１突起と、前記フレームの前記第２長手方向側部に近接する、前記走行ベルトの第２側に沿った第２突起とを備え、前記第１突起が、前記第１複数のガイド用プーリに嵌合するように寸法決定され、前記第２突起が、前記第２複数のガイド用プーリに嵌合するように寸法決定され、それによって、前記第１複数の支持用／ガイド用ベアリングと、前記第１複数のガイド用プーリとが、前記ループ式走行ベルトの第１側を支持し、前記第２複数の支持用／ガイド用ベアリングと、前記第２複数のガイド用プーリとが、前記ループ式走行ベルトの第２側を支持している、請求項２に記載のトレッドミル。
【請求項４】
前記第２ローラアセンブリが、
第３回転プーリと、
第４回転プーリと、
第２シャフトであって、前記フレーム上に固定して装着され、それによって、前記第２シャフトは、前記第３及び第４回転プーリとともに回転しない、第２シャフトと、
第２ローラチューブであって、前記第３回転プーリ及び前記第４回転プーリが、前記第２ローラチューブ上に装着されて、前記第２ローラチューブとともに回転する、第２ローラチューブと、
第３荷重ベアリング及び第４荷重ベアリングであって、前記第２ローラチューブと前記第２シャフトとの間に配設され、それによって、前記第２ローラチューブと前記第３及び第４プーリが、前記第２シャフトの周りを回転することができる、第３荷重ベアリング及び第４荷重ベアリングと、を備える、請求項１に記載のトレッドミル。
【請求項５】
前記第１ローラアセンブリ又は前記第２ローラアセンブリが、前記ループ式走行ベルトの前記上面が前記トレッドミルの前記後部から前記トレッドミルの前記前部に動くことを防止するように構成された追加の一方向装置をさらに備える、請求項１に記載のトレッドミル。
【請求項６】
前記第１ローラアセンブリが、前部ローラアセンブリであり、そのため、前記第１シャフトが前記第２ローラアセンブリよりも前記トレッドミルの前記前部に近い前記フレーム上に装着されている、請求項１に記載のトレッドミル。
【請求項７】
前記第１ローラアセンブリが、後部ローラアセンブリであり、そのため、前記第１シャフトが前記第２ローラアセンブリよりも前記トレッドミルの前記後部に近い前記フレーム上に装着されている、請求項１に記載のトレッドミル。
【請求項８】
前記第１ローラアセンブリが、
（ａ）前記第１荷重ベアリングの外側及び前記一方向装置の前記外リングと（ｂ）前記第１ローラチューブの内側との間の第１インサートであって、前記第１インサートが、前記第１シャフトの第１端部上にある、第１インサートと、
（ａ）前記第２荷重ベアリングの外側と（ｂ）前記第１ローラチューブの内側との間の第２インサートであって、前記第２インサートが、前記第１シャフトの第２端部上にある、第２インサートと、をさらに備える、請求項１に記載のトレッドミル。
【請求項９】
前記一方向装置が、一方向クラッチを備え、前記内リングが、キー溝を画定する部分を備え、前記第１シャフトが、前記キー溝内に突出し、それによって前記内リングを前記第１シャフトに固定するように構成されたキーを備える、請求項８に記載のトレッドミル。
【請求項１０】
前記第１インサート及び前記第２インサートが、金属でできており、前記第１インサート及び前記第２インサートが、前記第１ローラチューブに圧入され、前記第２インサートが、前記第１インサートよりも短く、前記第１及び第２プーリが、射出成形プラスチックでできている、請求項９に記載のトレッドミル。
【請求項１１】
前記第１シャフトが、前記第１シャフトの前記第１端部の近くに第１ボルトで前記フレームに固定され、前記第１シャフトの前記第２端部の近くに第２ボルトで前記フレームに固定されている、請求項１０に記載のトレッドミル。
【請求項１２】
前記トレッドミルがモータレスである、請求項１に記載のトレッドミル。
【請求項１３】
前記トレッドミルがモータ駆動式である、請求項１に記載のトレッドミル。
【請求項１４】
ディスプレイと、電子機器と、トレッドミルの使用者に前記使用者のトレーニングに関する情報を提供するように構成された１つ以上のセンサと、をさらに備える、請求項１に記載のトレッドミル。
【請求項１５】
前記使用者が運動時に前記トレッドミルにつかまることを可能にするためのハンドルバーをさらに含む、請求項１に記載のトレッドミル。
【請求項１６】
前記ループ式走行ベルトが、多数の相互接続されたスラットを含む、請求項１に記載のトレッドミル。
【請求項１７】
前記フレームが、運動強度の変化を可能にするように、前記ループ式走行ベルトの前記上面を湾曲させるように構成されている、請求項１に記載のトレッドミル。
【請求項１８】
前記フレームが、前記ループ式走行ベルトの前記上面を湾曲させて、それによって、前記ループ式走行ベルトの傾斜が、端部から端部までで少なくとも２０度変化するように構成されている、請求項１に記載のトレッドミル。
【請求項１９】
前記フレームの後部に取り付けられた上昇バーと、前記フレームの前部に取り付けられた一対のホイールと、をさらに備える、請求項１に記載のトレッドミル。
【請求項２０】
フレームと、
ループ式走行ベルトと、
第１回転プーリ及び第２回転プーリを備える第１ローラアセンブリ、並びに第３回転プーリ及び第４回転プーリを備える第２ローラアセンブリであって、前記第１ローラアセンブリ及び前記第２ローラアセンブリが、前記フレーム上に装着され、前記ループ式走行ベルトが、前記第１回転プーリと、前記第２回転プーリと、前記第３回転プーリと、前記第４回転プーリとによって支持されている、第１ローラアセンブリ及び第２ローラアセンブリと、を備えるトレッドミルであって、
前記第１ローラアセンブリが、前記ループ式走行ベルトの上面が前記トレッドミルの前部から後部へ動くことを可能にし、前記ループ式走行ベルトの前記上面が前記トレッドミルの後部から前部へ動くことを防止するための手段をさらに備える、トレッドミル。
【発明の詳細な説明】
【技術分野】
【０００１】
[0001]  本出願は、２０１７年１２月６日出願の米国特許出願第１５／８３３９９１号、題名ＥＸＥＲＣＩＳＥ  ＴＲＥＡＤＭＩＬＬの優先権を主張し、その出願は、本文、図面、特許請求の範囲、表及びすべての他のものを含むその全体が、参照により本明細書に組み込まれる。
【０００２】
[0002]  本明細書は、一般に、エクササイズトレッドミルの分野と、プーリが一方向に回転することを可能にし、かつプーリが反対方向に回転することを防止するための構成要素を装着するための技術とに関する。また、本明細書は、トレッドミルハンドルバー上での適切な手の配置と、トレッドミルベルト上での対応する足の配置とを容易にすることに関する。
【背景技術】
【０００３】
[0003]  典型的なトレッドミルは、人（トレッドミル使用者）が走ったり、ジョギングしたり、歩いたりすることを可能にするように回転するローラアセンブリによって、各端部で支持されるループ式走行ベルトを有する。モータ駆動式トレッドミルに加えて、手動トレッドミルがある。特に手動（すなわち、非モータ駆動）タイプのトレッドミルは、運動強度を変化させるために湾曲している場合がある。手動トレッドミルは、好ましくは、ループ式ベルトの逆方向への著しい動き、すなわち後部から前部への上面の動きを可能にしない。ローラアセンブリの１つに一方向クラッチ（別名一方向ベアリング）を設置することによって、逆方向への動きを防止することが達成され得る。
【０００４】
[0004]  当技術分野においては、トレッドミル上のループ式ベルトの逆方向の動きを防止するための新しくかつより優れた技術に対する要望が存在する。また、当技術分野では、一方向への回転を可能にし、反対方向への著しい回転を防止するローラアセンブリの新規かつより優れた設計に対する要望が存在する。当技術分野では、使用者がトレッドミルのハンドルバーの握り位置を、所望の強度及び／又はステップ長さに調整することを助ける技術に対する要望が存在する。
【発明の概要】
【０００５】
[0005]  本明細書で説明される実施形態、変形、及び例は、上記の要望及び／又は他の要望の１つ以上を満たし得る装置及び方法を対象とする。選択された例は、定置シャフト及び回転ローラを備えたトレッドミルを示している。
【０００６】
[0006]  一実施形態では、トレッドミルは、フレームを含む。また、トレッドミルは、ループ式走行ベルトを含む。トレッドミルはさらに、第１ローラチューブと、第１ローラチューブ上に装着され、それによって、第１及び第２回転プーリが、第１ローラチューブとともに回転するようにされた、第１回転プーリ及び第２回転プーリと、フレーム上に固定して装着され、それによって、第１シャフトが、第１及び第２回転プーリと第１ローラチューブとともに回転しないようにされた、第１シャフトと、第１荷重ベアリングと、第２荷重ベアリングと、一方向装置と、を有する、第１ローラアセンブリを含む。トレッドミルは、フレーム上に装着された第２ローラアセンブリをさらに含む。ループ式走行ベルトは、第２ローラアセンブリと、第１回転プーリと、第２回転プーリとによって支持され、それによって、第１及び第２回転プーリが、ループ式走行ベルトの動きとともに回転する。第１荷重ベアリング及び第２荷重ベアリングが、第１ローラチューブと第１シャフトとの間に配設され、それによって、第１ローラチューブと第１及び第２プーリとが、第１シャフトの周りを回転することができる。一方向装置は、内リング及び外リングを備え、内リングは、第１シャフトに固定結合されて、第１シャフト上で回転しないようにされ、外リングは、ローラチューブに固定結合されて、ローラチューブが第１シャフトの周りを第１方向に回転することを可能にし、かつローラチューブは、第１シャフトの周りを、第１方向と反対の第２方向に回転することを防止し、第１及び第２方向は、ループ式走行ベルトの上面が、トレッドミルの前部からトレッドミルの後部に動くことができ、上面は、トレッドミルの後部からトレッドミルの前部へ動くことが防止されるようなものである。
【０００７】
[0007]  一実施形態では、トレッドミルは、フレームと、ループ式走行ベルトと、第１回転プーリ及び第２回転プーリを備える第１ローラアセンブリ、並びに第３回転プーリ及び第４回転プーリを備える第２ローラアセンブリであって、第１ローラアセンブリ及び第２ローラアセンブリが、フレーム上に装着され、ループ式走行ベルトが、第１回転プーリと、第２回転プーリと、第３回転プーリと、第４回転プーリとによって支持される、第１ローラセンブリ及び第２ローラセンブリと、を含む。また、第１ローラアセンブリは、走行ベルトの上面がトレッドミルの前部から後部へ動くことを可能にし、上面がトレッドミルの後部から前部へ動くことを防止するための手段を備える。
【０００８】
[0008]  本開示と一致する選択された実施形態、変形、及び例のこれら及び他の特徴及び態様は、以下の説明、図面、及び添付の特許請求の範囲を参照してよりよく理解されるであろう。
【図面の簡単な説明】
【０００９】
【図１】本開示の選択された態様による、湾曲したトレッドミルの選択された構成要素及び特徴を示す斜視図である。
【図２】側板が取り外された図１のトレッドミルの斜視図である。
【図３】側板が取り外された図１のトレッドミルの斜視図である。
【図４】図１のトレッドミルの側板とループ式走行ベルトを取り外した斜視図である。
【図５】図１のトレッドミルの側板とループ式走行ベルトを取り外した斜視図である。
【図６】図１のトレッドミルの側面図であり、側板及びループ式走行ベルトが取り外されている。
【図７】図１のトレッドミルの前部ローラアセンブリの断面図である。
【図８】図１のトレッドミルの別の斜視図であり、いくつかの構成要素が取り外されている。
【図９】色分けされた縦ハンドグリップ位置と、対応する色分けされた前足配置位置とを備えたトレッドミルの斜視図である。
【発明を実施するための形態】
【００１０】
[0016]  本明細書で使用される「実施形態（ｅｍｂｏｄｉｍｅｎｔ）」、「変形（ｖａｒｉａｎｔ）」、「例（ｅｘａｍｐｌｅ）」、並びに同様の文言及び表現は、特定の装置、プロセス、又は製品を指し、必ずしも同じ装置、プロセス、又は製造品を指すものではない。したがって、１つの場所又は文脈で使用される「一実施形態（ｏｎｅ  ｅｍｂｏｄｉｍｅｎｔ）」（又は同様の表現）は、特定の装置、プロセス、又は製品を指す場合があり、異なる場所又は文脈における同じ又は類似の表現は、異なる装置、プロセス、又は製品を指す場合がある。「代替の実施形態（ａｌｔｅｒｎａｔｉｖｅ  ｅｍｂｏｄｉｍｅｎｔ）」という表現及び類似の文言は、いくつかの異なる可能な実施形態、変形、又は例のうちの１つを示すために使用される。可能な実施形態、変形、又は例の数は、必ずしも２つ又は任意の他の量に限定されない。「例示的な（ｅｘｅｍｐｌａｒｙ）」としてのアイテムの特徴付けは、アイテムが例として使用されることを意味する。そのような特徴付けは、必ずしも実施形態、変形、又は例が好ましいものであることを意味するものではなく、実施形態、変形、又は例は、現時点で好ましい実施形態、変形、又は例であってもよいが、必ずしもそうである必要はない。すべての実施形態、変形、及び例は、例示を目的として記載され、必ずしも開示された本発明（複数可）を厳密に限定するものではない。
【００１１】
[0017]  「一方向装置（ｏｎｅ−ｗａｙ  ｄｅｖｉｃｅ）」は、一方向スプロケットもしくは一方向クラッチ（「一方向クラッチベアリング」又は「一方向ベアリング」とも称される）、又は一方向への回転のみを可能にする類似のタイプのラチェット機構を指す。「一方向クラッチ（ｏｎｅ−ｗａｙ  ｃｌｕｔｃｈ）」は、スプラグクラッチ、すなわち一方向への回転を可能にするが、他方向への動きを防止するようにロックアップされる回転要素を意味する。スプラグクラッチは、典型的には、回転方向が逆になるまで、１つの要素が別の要素の周りを惰性で動くことを可能にするばね付勢スプラグローラを採用している。
【００１２】
[0018]  湾曲したトレッドミルは、使用者が湾曲面、例えば、傾斜がほぼ平坦な水平（ゼロ度）又はわずかに負の設定（下向きに傾斜、例えば１０度を下回る下向きの傾斜）から、運動強度の著しい増大を提供する傾斜、例えば、水平から８〜３０度まで変化する表面上を歩行／ジョギング／走行することを可能にする。
【００１３】
[0019]  いくつかの定義が、上記で明示的に提供されている。他の及びさらなる明示的及び暗黙的な定義及び定義の説明が、本明細書全体にわたって見受けられ得る。
【００１４】
[0020]  図１は、湾曲したトレッドミル１００の選択された構成要素を示す斜視図である。この例では、トレッドミル１００は、モータレストレッドミルである。トレッドミル１００は、ハンドルバーマウント１１０Ａ／１１０Ｂに取り付けられたハンドルバー１０５と、ハンドルバー１０５のほぼ中心に取り付けられた電子モニタ／コントローラモジュール１１５と、多数の（例えば、４０〜１００個の）別個のスラット１２５で作られたループ式ベルト１２０と、トレッドミルの側部にある保護側板１３０Ａ及び１３０Ｂとを含む。側板１３０Ａ及び１３０Ｂの上部の踏板１２２Ａ及び１２２Ｂは、それぞれ、トレッドミル１００からの着脱の際に使用者が踏むことができる牽引面を提供する。トレッドミル１００の後部の上昇バー１５５は、使用者がトレッドミル１００の後部を床から持ち上げて、トレッドミル１００をその前ホイール上で動かすことを可能にする。
【００１５】
[0021]  図２及び図３は、側板１３０Ａ及び１３０Ｂが取り外されたトレッドミル１００の斜視図である。これらの図から分かるように、トレッドミル１００は、左側に長手方向フレームバー１３５Ａをさらに含み、別の長手方向フレームバー１３５Ｂ（これらの図に図示せず）は、必要に応じて変更を加えて、フレームバー１３５Ａに類似し、トレッドミル１００の右側の同様の位置に配設される。（「左」及び「右」は、使用者がトレッドミル１００上を前方に向かって歩行し／ジョギングし／走行する場合、使用者を基準として任意に選択されている。）縦支持部１３８Ａ、１４０Ａ、及び１４２Ａは、左側の湾曲したアセンブリを支持する。さらにまた、トレッドミル１００の右側には、必要に応じて変更を加えた類似の配置がある。トレッドミル１００は、前ホイール１４５Ａ及び１４５Ｂと、後部１５０Ａ（左側）及び１５０Ｂ（図４に示す右側）の調整可能な非ホイール式支持体との上に載置されている。
【００１６】
[0022]  図４及び図５は、側板１３０Ａ／１３０Ｂ及びベルト１２０が取り外されたトレッドミル１００の斜視図であり、フレームクロスメンバ１６０Ａ／１６０Ｂ／１６０Ｃのより良い図を提供しており、長手方向フレームバー１３５Ａ／１３５Ｂ間に延在していることがわかる。また、これらの図は、マルチコンポーネント前部ローラアセンブリ１７０及びマルチコンポーネント後部ローラアセンブリ１９０の一部を示す。
【００１７】
[0023]  図６は、トレッドミル１００の側面図である。
【００１８】
[0024]  図７は、断面ＡＡ（図６に示される）に沿った、前部ローラアセンブリ１７０の断面図である。
【００１９】
[0025]  前部ローラアセンブリの中心には、シャフト１７２がある。シャフト１７２の端部の貫通穴１７４Ａ及び１７４Ｂは、シャフト１７２をトレッドミル１００のフレームに留め付けるボルトを受け入れる。シャフト１００は、ベルト１２０の動きに応じて、フレームを基準として回転するようには意図されていないことに留意されたい。シャフト１７２の表面の楕円形のくぼみ１７６は、くぼみ１７６に圧入されることができるキーを受け入れるように設計され、キーは、シャフト１７２から突出し、一方向クラッチベアリング１７８の内リングの表面上の対応するベアリングキー溝に嵌合して、一方向クラッチ１７８の内リングを、シャフト１７２に対して固定（回転を防止）することが意図されている。キーがシャフトと一体成型されたシャフトを製作することが可能である。
【００２０】
[0026]  ローラチューブ１８０は、シャフト１７２を取り囲む。金属、例えば、鋼又は鉄から機械加工されてもよい。左側には、円筒形の金属インサート１８１Ａが、ローラチューブ１８０の内側に圧入されている。一方向クラッチ１７８は、インサート１８１Ａの内側に圧入されている。また、インサート１８１Ａは、従来の（非一方向）荷重ベアリング１８２Ａを受け入れる。また、ベアリング１８２Ａは、インサート１８１Ａに圧入されてもよい。プーリ１８３Ａは、ローラチューブ１８０に固定して取り付けられる（例えば、接着される）。
【００２１】
[0027]  アセンブリ１７０の右側で、別のプーリ１８３Ｂがローラチューブ１８０に固定して取り付けられ（例えば、接着され）、第２円筒形の金属インサート１８１Ｂがローラチューブ１８０の内側に圧入される。プーリ１８３Ａ／Ｂは、射出成形プラスチックであってもよい。第２金属インサート１８１Ｂは、インサート１８１Ｂの内側に圧入され得る第２従来の荷重ベアリング１８２Ｂを受け入れる。第２インサート１８１Ｂは、第１インサート１８１Ａよりも短くてもよい（しかしそうである必要はない）が、これは、第２一方向クラッチの必要がないためであることに留意されたい。（当然ながら、右側に第２一方向クラッチを使用してもよい。）
【００２２】
[0028]  プーリ１８３Ａ及び１８３Ｂは、ベルト１２０を支持し、ベルト１２０は、その内側に、ベルト１２０と並ぶ２組のガイド用突起を有する。ガイド用突起は、その対応するプーリ１８３Ａ又は１８３Ｂのフランジ間に各々が嵌合するような幅に設定される。側板１３０Ａ／Ｂ及びベルト１２０が取り外されたトレッドミル１００の別の斜視図である図８に見られるように、ガイド用プーリが点在する支持用／ガイド用ベアリングの列１８５Ａ及び１８５Ｂは、トレッドミル１００の踏板１２２Ａ／１２２Ｂの側部に沿って存在する。列１８５Ａ／Ｂのベアリング及びプーリは、ベルト１２０を支持し、プーリ１８３Ａ／Ｂのフランジとともに、ベルト１２０を誘導する（過度の横滑りを防止する）。ベルト１２０のガイド用突起は、列１８５Ａ／Ｂのガイド用プーリのフランジ間に嵌合する。
【００２３】
[0029]  動作中、ローラチューブ１８０は、一方向クラッチ１７８が存在する場合を除き、シャフト１７２の周りをいずれの方向にも自由に回転する。一方向クラッチ１７８は、一方向のみの回転を可能にする。トレッドミル１００の左側から見ると、ローラチューブ１８０並びにプーリ１８３Ａ及び１８３Ｂは、時計回りに回転することができ、使用者がベルト１２０上を前に向かって歩行する／ジョギングする／走行すると、ベルト１２０の上面がトレッドミル１００の前部から後部へ動くことが可能になる。
【００２４】
[0030]  後部ローラアセンブリ１９０は、前部ローラアセンブリ１７０と非常に類似している場合がある。しかしながら、アセンブリ１９０は、一方向クラッチ又は別の一方向装置を含む必要はない。なぜなら、ベルト１２０は、前部ローラアセンブリ１７０上の一方向クラッチ１７８のために、望ましくない方向に著しい動きを有してはならないからである。また、後部ローラアセンブリ１９０は、前部ローラアセンブリ１７０とは著しく異なってもよく、例えば、後部ローラアセンブリは、トレッドミルのフレームに取り付けられた一対のベアリングによって支持された回転シャフトに取り付けられたプーリを有していてもよい。
【００２５】
[0031]  実施形態では、一方向クラッチベアリング１７８の代わりに、別のタイプの一方向装置が使用される。実施形態では、後部ローラアセンブリ１９０の各側は、前部ローラアセンブリ１７０の右側に類似している。実施形態では、後部ローラアセンブリ１９０の一端又は両端に、一方向装置がある。実施形態では、一方向クラッチ（又は別の一方向装置）は、ローラアセンブリ１７０及び／又は１９０の１つ、２つ、３つ、又は４つすべての端部に設置される。実施形態では、トレッドミルは、モータレストレッドミルであるが、他の実施形態では、トレッドミルはモータ駆動式である。
【００２６】
[0032]  図９は、色分けされた縦ハンドグリップ位置と、対応する色分けされた前足配置位置とを有するトレッドミル９００の斜視図である。トレッドミル９００（図示の実施形態では湾曲している）は、ループ式走行ベルト９２０と、ハンドルバー９０５と、ハンドルバーマウント９１０Ａ／９１０Ｂと、側板９３０Ａ／９３０Ｂと、電子モニタ／コントローラモジュール９１５とを含む。また、トレッドミル９００は、ハンドルバー９０５上の異なる位置に締結され得る縦グリップ９９９Ａ及び９９９Ｂを含む。縦グリップ９９９Ａ／Ｂは、例えば、ロックねじを使用してさまざまな位置に締結され得る。図示の実施形態では、縦グリップのために各側に３つの位置がある。３対のハンドルバー位置は、異なる色のバンド又はＬＥＤでマークされている。例えば、バンド９９２Ａ及び９９２Ｂは、黄色であってもよく、バンド９９３Ａ及び９９３Ｂは、橙色であってもよく、バンド９９４Ａ及び９９４Ｂは赤色であってもよい。ベルト９２０の両側には、対応するカラーストリップが、配設されている。例えば、カラーストリップ９９８Ａ及び９９８Ｂは黄色であってもよく、カラーストリップ９９７Ａ及び９９７Ｂは橙色であってもよく、カラーストリップ９９６Ａ及び９９６Ｂは、赤色であってもよい。カラーストリップは、例えば、ベルト９２０の側部の側板９３０Ａ／９３０Ｂに接着されてもよい。実施形態では、各カラーストリップは、適切な色の１つ以上のＬＥＤ（赤色のストリップの場合は赤色ＬＥＤ、橙色のストリップの場合は橙色ＬＥＤなど）を含む。カラーバンド９９２／９９３／９９４及びカラーストリップ９９６／９９７／９９８の配置は、使用者（配置が使用者によって調整可能である場合の特定の使用者、又は平均的な使用者）にとって、垂直グリップ９９９Ａ／Ｂ及びストリップ１０９６／１０９７／１０９８の適切な配置が、所与の運動レベルに対して同じ色によって示されるという意味で、「対応」している。図示の実施形態では、例えば、黄色は歩行に対応し、橙色はジョギングに対応し、赤色は走行に対応し得る。よって、使用者が歩くことを意図する場合、使用者は、黄色のバンド９９２Ａ／Ｂに縦グリップを配置し、次いで黄色のストリップ９９８Ａ／Ｂ間の領域に足を配置し得、使用者がジョギングすることを意図する場合、使用者は橙色のバンド９９３Ａ／Ｂに縦グリップを配置し、次いで橙色のストリップ９９７Ａ／Ｂ間の領域に足を配置し得、使用者が走ることを意図する場合、使用者は、縦グリップを赤色のバンド９９４Ａ／Ｂに配置し、次に足を赤色のストリップ９９６Ａ／Ｂ間の領域に配置し得る。
【００２７】
[0033]  電子モニタ／コントローラモジュールは、ディスプレイを含んでもよく、センサ（複数可）（速度センサ及び／又は荷重センサ及び／又は心拍数センサなど）に接続されて、トレッドミルの使用者に、使用者のトレーニングに関する情報を提供し得る。情報は、速度、距離、総カロリー消費量、現在のカロリー燃焼率、現在の心拍数、トレーニング中に達成された最高心拍数、及び他のデータを含み得る。
【００２８】
[0034]  本明細書全体で説明されている特徴は、特定の要素／限定の有無が本質的に必要とされるか、明示的に示されているか、又は特に文脈から明らかにされている場合を除き、個別に、又は任意の組み合わせもしくは順列で存在し得る。
【００２９】
[0035]  すべての図示された要素が、本明細書に記載された概念によるすべての実施形態で必ずしも必要とされるものではないが、具体的に示されていないいくつかの要素は、本概念によるいくつかの実施形態で望ましい場合がある。
【００３０】
[0036]  本明細書は、本発明のトレッドミル及びローラアセンブリを詳細に説明している。これは例示の目的で行われたものであり、したがって、前述の説明は、説明された本発明（複数可）の本質及び範囲を限定することを必ずしも意図するものではない。本発明（複数可）の特定の実施形態は、全体として、その（又は場合によってはそれらの）特徴の実施形態も、本発明（複数可）の基礎をなす一般的な原理を必ずしも限定するものではない。本明細書に記載される特定の特徴は、本明細書に記載される本発明（複数可）の本質及び範囲から逸脱することなく、使用できる実施形態もあれば、使用できない実施形態もある。また、構成要素の様々な物理的配置及び様々な工程順序は、本発明（複数可）の意図された範囲内にある。前述の開示では、多くの追加の修正が意図されており、関連する技術の当業者には、他の特徴の対応する使用なしに、いくつかの特徴が使用される場合があることが理解されよう。上記の実施形態は、例示的であり、必ずしも限定的ではないが、それら又はそれらの選択された特徴は、いくつかの請求項を限定する場合がある。したがって、図示された例は、本発明（複数可）の境界及び本発明（複数可）に与えられた法的保護を必ずしも定義するものではない。
【図１】
2021505218.tif 000003
【図２】
2021505218.tif 000004
【図３】
2021505218.tif 000005
【図４】
2021505218.tif 000006
【図５】
2021505218.tif 000007
【図６】
2021505218.tif 000008
【図７】
2021505218.tif 000009
【図８】
2021505218.tif 000010
【図９】
2021505218.tif 000011
【国際調査報告】
2021505218.tif 000012